(57)【要約】【課題】  足裏にエアーを供給しマッサージをしているときでも、使用者が立ち上がることができ、また、歩行する際には安全に足裏のエアーを排気し、歩行することができる足用のエアーマッサージ器を提供する。【解決手段】  空気が充填され、足裏部から足甲部に巻掛けられる気密で伸縮性を有するエアバッグと、エアバッグ内の空間を、複数の空気室に区画し、各空気室内の空気が各空気室間相互に通過可能な通路を残して設けられる仕切り部とを設ける。【選択図】      図１
2015029574.tif 000002
【特許請求の範囲】
【請求項１】
空気が充填され、足裏部から足甲部に巻掛けられる気密で伸縮性を有するエアバッグと、
エアバッグ内の空間を、複数の空気室に区画し、各空気室内の空気が各空気室間相互に通過可能な通路を残して設けられる仕切り部と、を含むことを特徴とするエアーマッサージ器。
【請求項２】
前記エアバッグは、前記足裏部が乗載される下袋状部分と、前記足甲部を覆う上袋状部分とを有し、
前記エアバッグよりも剛性の高い材料から成る板状の踏板部材であって、前記下袋状部分に固定される踏板部材を、さらに含むことを特徴とする請求項１記載のエアーマッサージ器。
【請求項３】
前記踏板部材は、前記エアバッグ側に設けられる軟質層と、前記軟質層の前記エアバッグとは反対側に積重される硬質層とを有することを特徴とする請求項２記載のエアーマッサージ器。
【請求項４】
前記踏板部材の前記エアバッグ側に突出する表面に設けられる複数の突起を、さらに含むことを特徴とする請求項３記載のエアーマッサージ器。
【請求項５】
前記仕切り部は、
前記エアバッグ内の空間を、足裏部の踵部分の下に配置される第１空気室と、足裏部の土踏まず部分の下に配置される第２空気室とに仕切る第１仕切り部と、
前記エアバッグ内の空間を、前記第２空気室と、足裏部の足先部分に配置される第３空気室とに仕切る第２仕切り部とを有することを特徴とする請求項１〜４のいずれか１つに記載のエアーマッサージ器。
【発明の詳細な説明】
【技術分野】
【０００１】
本発明は、エアーマッサージ器に関する。
【背景技術】
【０００２】
家庭用で持ち運びができる足用エアーマッサージ器として、たとば、特許文献１および特許文献２のものが知られている。これらの従来技術では、足の土踏まずを効果的に加圧してマッサージするため、エアバッグの踵に対応する部位の後部と、土踏まずに対応する部位の先部とにエアバッグの正面部と裏面部とを固着する固着部を設けて、残余の部分を膨張させる構成、あるいは硬質のハウジング内にエアバッグを設ける構成が提案されている。
【先行技術文献】
【特許文献】
【０００３】
【特許文献１】特開２００１−１７８７９０号公報
【特許文献２】特開２００１−８７３３１号公報
【発明の概要】
【発明が解決しようとする課題】
【０００４】
しかしながら、特許文献１に開示される従来技術では、足先空気室の足裏部の固着部に空気が供給されることによって土踏まず部を刺激する構造となっており、足裏部に給気しているとき、すなわちマッサージ施療中に立ち上がった際には、足裏部が不安定なため、立ち上がって歩行することができないという問題がある。
【０００５】
また、特許文献２に開示される従来技術では、足の外側の面の膨張を防ぐために、硬質のハウジングがエアバッグの外側に設けられており、足裏部に対応する部位に空気が入っているとき、すなわちマッサージ施療中に立ち上がって歩行することができないという問題がある。
【０００６】
本発明の目的は、使用者が安全に立ち上がって歩行することができる足用のエアーマッサージ器を提供することである。
【課題を解決するための手段】
【０００７】
本発明は、空気が充填され、足裏部から足甲部に巻掛けられる気密で伸縮性を有するエアバッグと、
エアバッグ内の空間を、複数の空気室に区画し、各空気室内の空気が各空気室間相互に通過可能な通路を残して設けられる仕切り部と、を含むことを特徴とするエアーマッサージ器である。
【０００８】
また本発明において、前記エアバッグは、前記足裏部が乗載される下袋状部分と、前記足甲部を覆う上袋状部分とを有し、
前記エアバッグよりも剛性の高い材料から成る板状の踏板部材であって、前記下袋状部分に固定される踏板部材を、さらに含むことを特徴とする。
【０００９】
また本発明は、前記踏板部材は、前記エアバッグ側に設けられる軟質層と、前記軟質層の前記エアバッグとは反対側に積重される硬質層とを有することを特徴とする。
【００１０】
また本発明は、前記踏板部材の前記エアバッグ側に突出する表面に設けられる複数の突起を、さらに含むことを特徴とする。
【００１１】
また本発明は、前記仕切り部は、
前記エアバッグ内の空間を、足裏部の踵部分の下に配置される第１空気室と、足裏部の土踏まず部分の下に配置される第２空気室とに仕切る第１仕切り部と、
前記エアバッグ内の空間を、前記第２空気室と、足裏部の足先部分に配置される第３空気室とに仕切る第２仕切り部とを有することを特徴とする。
【発明の効果】
【００１２】
本発明によれば、エアバッグ内の空間を仕切り部によって複数の空気室に区画し、かつ空気室が絞り通路を介して相互に空気が通過可能に構成されるので、エアバッグに作用する荷重に応じて各空気室間を絞り通路を介して自由に追加することができ、これによって使用者が立ち上がって歩行することが可能となり、各空気室間の移動によってマッサージ効果を得ることができ、使用上の利便性の向上されたマッサージ器を実現することができる。
【図面の簡単な説明】
【００１３】
【図１】本発明の第１実施形態に係るエアーマッサージ器の構成を概略的に示す図である。
【図２】本発明の第１実施形態に係るエアーマッサージ器の構成を概略的に示す図である。
【図３】本発明の第１実施形態に係るエアーマッサージ器の構成を概略的に示す図である。
【図４】本発明の第１実施形態に係るエアーマッサージ器の使用状況を説明するための図である。
【図５】本発明の第２実施形態に係るエアーマッサージ器の構成を概略的に示す図である。
【図６】本発明の第２実施形態に係るエアーマッサージ器の使用状況を説明するための図である。
【図７】本発明の第２実施形態に係るエアーマッサージ器におけるエアバッグを説明するための図である。
【図８】本発明の第２実施形態に係るエアーマッサージ器におけるエアバッグを説明するための図である。
【図９】本発明の第２実施形態に係るエアーマッサージ器におけるエアバッグを説明するための図である。
【図１０】本発明の第２実施形態に係るエアーマッサージ器におけるエアバッグを説明するための図である。
【図１１】本発明の第２実施形態に係るエアーマッサージ器における仕切り部を説明するための図である。
【図１２】本発明の第３実施形態に係るエアーマッサージ器の構成を概略的に示す図である。
【図１３】本発明の第４実施形態に係るエアーマッサージ器の構成を概略的に示す図である。
【図１４】本発明の第７実施形態に係るエアーマッサージ器の構成を概略的に示す図である。
【図１５】本発明の第８実施形態に係るエアーマッサージ器の構成を概略的に示す図である。
【図１６】本発明の第８実施形態に係るエアーマッサージ器におけるコントローラの構成を示す図である。
【図１７】本発明の第８実施形態に係るエアーマッサージ器におけるコントローラの回路構成を示す図である。
【図１８】本発明の第８実施形態に係るエアーマッサージ器におけるコントローラの配置を示す図である。
【図１９】本発明の第９実施形態に係るエアーマッサージ器におけるコントローラの構成を示す図である。
【図２０】本発明の第９実施形態に係るエアーマッサージ器におけるコントローラの配置を示す図である。
【図２１】本発明の第１０実施形態に係るエアーマッサージ器の構成を概略的に示す図である。
【発明を実施するための形態】
【００１４】
＜第１実施形態＞
図１〜図４を参照して、本発明の第１実施形態について説明する。図１〜図３は、本発明の第１実施形態に係るエアーマッサージ器の構成を概略的に示す図である。図４は、本発明の第１実施形態に係るエアーマッサージ器の使用状況を説明するための図である。
【００１５】
本実施形態のマッサージ器は、図１に示すように、足用マッサージ器であって、概略ブーツ形状の外装３と、外装３内に設けられる複数のエアバッグ１ａ，１ｂ，１ｃと、操作装置２と、エアバッグ１ａ，１ｂ，１ｃと操作装置２とを接続するホース４とを含んで構成される。操作装置２は、後述するように、ケース５の内部にエアバッグ１ａ，１ｂ，１ｃに空気を供給するための図示しないポンプ、各エアバッグ１ａ，１ｂ，１ｃにポンプからの空気をホース４を介して給排気する複数の電磁弁、ポンプおよび電磁弁を制御する制御回路、および電源部によって構成される。
【００１６】
外装３は、足裏部を支持する踏板部材９を有しており、その上部に足先部分を図４のように上下に挟むエアバッグ１ａが配置されている。エアバッグ１ａは、足裏部と足甲部とに巻き掛けられ、ポンプからの空気が電磁弁を介してエアバッグ１ａ内に供給されるように、制御回路によって前記電磁弁が制御される。仕切り部６は、エアバッグ１ａとの間の一部が絞り通路として開いた状態で足裏部の下に配置される第１空気室７ａと、足甲部の上に配置される第２空気室７ｂとに区画するように設けられ、第１および第２空気室７ａ，７ｂ間では、互いに空気が通過可能である。
【００１７】
踏板部材９は、硬い芯材であるが、形状については図示しない曲面を有してもよい。通常、使用者が足先部分をリラックスさせて本マッサージ器を使用してエアバッグ１ａに空気が入った場合のエアバッグの様子を図４（ａ）に示す。このとき、エアバッグ１ａの仕切られた足裏部と足甲部には空気がほぼ均等に供給されるようになっている。次にたとえば、使用者が歩行するために立ち上がった際のエアバッグの様子を図４（ｂ）に示す。このとき、足裏部に使用者の荷重がかかるため、足裏部のエアバッグの空気が押し出され、押し出された空気が足甲部、及び、エアバッグ１ａとホースで接続されている他の部分に空気が供給されるため、安定した歩行が可能となる。
【００１８】
再度、歩行のため上げた足裏の荷重が無くなると、足裏部に空気が再充填される。このように歩行または足踏みによって使用者はより効果的なマッサージ感が得られる。
【００１９】
外装３は、エアバッグ１ａを覆うようなカバー形状を有し、足先部分にフィットするようにマジックテープ（登録商標）等で調整する構造としてもよい。このことによって足の幅、高さが異なる使用者にも効果的なマッサージ効果を与えることができる。
【００２０】
エアバッグ１ｂおよび１ｃは足のたとえば、足首やふくらはぎ部をマッサージするために設けられており、操作装置２で操作される。外装３を展開した図の一例を図３に示す。エアバッグを構成するエアバッグ素材を給気されたエアーが漏れないように接着もしくは溶着してエアバッグエリアに分けたものをエアバッグとすることも可能である。このことで、複数のエアバッグを組み立てる際に位置決めが容易になる。
【００２１】
外装３はたとえば表地と裏地からなり、その間に本エアバッグを挿入する。本足用マッサージ器は、通常、図２のように左右の足に装着可能であるが、いずれか一方を用いてもよい。
【００２２】
＜第２実施形態＞
図５は、本発明の第２実施形態に係るエアーマッサージ器の構成を概略的に示す図である。図６は、本発明の第２実施形態に係るエアーマッサージ器の使用状況を説明するための図である。図７〜図１０は、本発明の第２実施形態に係るエアーマッサージ器におけるエアバッグを説明するための図である。図１１は、本発明の第２実施形態に係るエアーマッサージ器における仕切り部を説明するための図である。なお、前述の実施形態と対応する部分には、同一の参照符を付す。
【００２３】
本実施形態のエアマッサージ器は、図５に示すように、エアバッグ１ａが足先部分のみではなく足裏全体１５の大きさである。仕切り部６が足指の付け根を含む足先部分と土ふまずと踵部部分とにそれぞれ対応する第１〜第３空気室７ａ〜７ｃに仕切る仕切り部６で区分けされている。これによって、使用者が歩行するために立ち上がった際に、足先部分と踵部分にある第３空気室７ｃおよび第２空気室７ｂの空気が土ふまず部の第１空気室７ａに押し出されて、土ふまず部を効果的に押し上げ、マッサージ効果を高めることができる。
【００２４】
通常、使用者が足先部分５をリラックスさせて、本マッサージ器を使用してエアバッグ１ａに空気が入った場合のエアバッグの様子を図６（ａ）に示す。次に、たとえば使用者が歩行するために立ち上がった際のエアバッグの様子を図６（ｂ）に示す。このとき、足裏部の特に足指の付け根を含む足先部分の第３空気室７ｃと踵部分の第１空気室７ａとに使用者の荷重がかかるため、足先部分の第３空気室７ｃと踵部分の第１空気室７ａのエアバッグの空気が第２空気室７ｂに押し出され、押し出された空気が土ふまず部、および、エアバッグ１ａとホースで接続されている他の部分に空気が導かれるため、土ふまずを効果的にマッサージするとともに、安定した歩行が可能となる。
【００２５】
本実施形態の仕切り部６について説明する。仕切り部６を設けない図７（ａ）のエアバッグ１ａにエアーを流入した場合、最も紙面の奥行き（高さ）方向に膨らむ位置が図８（ａ）に示すように、中心位置Ｐ１になる。仕切り部６を設けた図７（ｂ）に示すエアバッグ１ａにエアーを流入した場合は、仕切り部６で分割されたそれぞれのエアバッグ空間の２カ所の中心位置Ｐ２，Ｐ３が図８（ｂ）に示すように、最も膨らむ位置となる。この最も膨らむ位置Ｐ２，Ｐ３が、マッサージで加圧する頂点となり、仕切り部６を設けることによって、マッサージ位置を調節することが可能となる。
【００２６】
ここで、仕切り部６は、エアバッグ１ａの外形線との間にエアーの通る通路を設けることによって、１箇所の給気口１１から給気するだけで、複数個所を加圧マッサージすることが可能となる。この給気口１１と仕切り部６の位置関係を変えることによって、加圧するタイミングを調整することが可能となる。たとえば図９（ａ）および図１０（ａ）に示す給気位置では、２つのエアバッグ空間がほぼ同時に膨らむため、加圧点Ｐ２，Ｐ３はほぼ同時に加圧される。図９（ｂ）および図１０（ｂ）に示す給気口１１から給気すると、まず加圧点Ｐ２側の加圧が開始され、続いて加圧点Ｐ３が加圧される。
【００２７】
このように、仕切り部６と給気口１１、エアバッグ外形の接着部と仕切り部６との通路を実現する隙間間隔の位置を変えることによって、加圧位置、加圧タイミングを調節することが可能となる。
【００２８】
また、仕切り部６は、エアーが流入しないように接着した個所であるが、仕切り部６の形状は、図１１（ａ）に示す直角形状よりも図１１（ｂ）に示す面取りされた角Ｒを持たせることで、エアーが流入され、圧力がかかった場合に応力によるエアバッグの破損のリスクを軽減することが可能である。 
【００２９】
＜第３実施形態＞
図１２は、本発明の第３実施形態に係るエアーマッサージ器の構成を概略的に示す図である。なお、前述の実施形態と対応する部分には、同一の参照符を付す。
【００３０】
本実施形態の足用マッサージ器は、図１２の足裏部に材料の一部が硬い芯材を含む踏板部材９の一部がクッション性のある軟質の素材から成る軟質層９ａと、エアバッグ１ａとは反対側に設けられる硬質層９ｂとを積重して一緒に用いることによって、より歩行しやすいマッサージ器を提供することができる。給気前は、エアバッグが膨張していない図１２（ａ）の状態にあり、歩行時のクッション性を持たせることによって、快適に歩行することができる。給気後は、通常のマッサージ時は図１２（ｂ）に示すように、エアバッグ側の軟質層９ａが変形し、エアバッグ１ａの膨張を妨げずにマッサージが可能となる。給気後の歩行時には、図１２（ｃ）に示すように、軟質層９ａが圧縮変形し、安全に歩行可能となる。
【００３１】
＜第４実施形態＞
図１３は、本発明の第４実施形態に係るエアーマッサージ器の構成を概略的に示す図である。なお、前述の実施形態と対応する部分には、同一の参照符を付す。
【００３２】
図１３に示す本実施形態のエアマッサージ器は、エアバッグ１ａと足裏部との間に軟質で板状の中敷き部材１３を設け、その中敷き部材１３に足裏部を刺激する突起１４を設けることによって、歩行時に空気によるマッサージ刺激が低減する分、突起１４によってツボ刺激を付加することができ、マッサージ効果を高めることができる。
【００３３】
＜第５実施形態＞
本実施の形態のエアマッサージ器は、足裏部の踏板部分９の図示しない中敷きを取り外し可能にすることによって、洗濯が可能となり、エアマッサージ器を清潔に保つことができる。
【００３４】
＜第６実施形態＞
本実施の形態のエアマッサージ器は、足裏部の踏板部分９に、図示しない硬質の靴底を設けることによって、より歩行が容易になり、屋外のような踏板部分との接触面が硬い場所を歩行する場合であっても、エアーマッサージ器を損傷させることなく歩行することができる。
【００３５】
＜第７実施形態＞
図１４は、本発明の第７実施形態に係るエアーマッサージ器の構成を概略的に示す図である。なお、前述の実施形態と対応する部分には、同一の参照符を付す。
【００３６】
本実施の形態の足用マッサージ器は、足裏部の踏板部分の上部に曲面を有することによって、より容易に歩行することができる。図１４に人間の足裏にフィットするようにした場合の曲面の一例を示す。図１４（ａ）が横断面図であり、図１４（ｂ）が後ろ断面図である。本発明によって図示しないエアバッグにエアーが入っていない場合には、足にフィットするため、歩行しやすい。ただし、曲面形状は、本形状に限定するものではない。
【００３７】
＜第８実施形態＞
図１５は、本発明の第８実施形態に係るエアーマッサージ器の構成を概略的に示す図である。図１６は、本発明の第８実施形態に係るエアーマッサージ器における操作装置２の構成を分解して示す図である。図１７は、本発明の第８実施形態に係るエアーマッサージ器における操作装置２の電気的構成を示す図である。図１８は、本発明の第８実施形態に係るエアマッサージ器における操作装置２の配置を示す図である。なお、前述の実施形態と対応する部分には、同一の参照符を付す。
【００３８】
本実施形態は、脚をマッサージするエアーマッサージ器であり、図１５に示すように、エアマッサージ器は、左右それぞれの脚に取り付けられて、脚に対して加圧する機能を有する第１の脚帯３１、第２の脚帯３２と、第１の脚帯３１の表面側（外側）に取り付けられ、エアーの供給、排出等を制御する操作装置２とから構成される。
【００３９】
各脚帯３１、３２は２枚の布から成り、内部が袋状になるように縫製等がされており、図示しないマジックテープ等で脚部に巻付けて着脱可能に装着される。そして、各脚帯３１、３２内部の空間には、たとえばナイロン生地にポリウレタンシートがコーティングされたシート２枚が高周波溶着などの手法によって２つの第１および第２空気室７ａ，７ｂに規制されるように溶着されたエアバッグ１が挿入されている。第１空気室７ａは、脚帯３１、３２が装着されたときに脹脛部に相当し、第２空気室７ｂは、脚帯３１、３２が装着されたときに足首後部に相当する。
【００４０】
次に、操作装置２について図１６〜図１８を用いて説明する。図１６に示す操作装置２は、ケース５ａ，５ｂに構成部品を内包した状態で脚帯３１に取り付けられる。ケース５ａの外側上部には、使用者に操作されるスイッチ部９１、９２、９３が設けられ、ケース５ｂの内部にはエアーポンプ５１、２個の電磁弁Ｖ１，Ｖ２と、それらを接続するチューブ等の配管材料、および、制御を行う回路基板８１と、電源として充電池７１とを含んで構成され、本発明の装置の操作装置としてエアーの供給、排気等を制御している。
【００４１】
エアーポンプ５１には吸気口と排気口があり、吸気口から吸った空気を圧縮して排気口から排気された空気が電磁弁Ｖ１を介してエアバッグ１に供給される。このためエアーポンプ５１の排気口側にはチューブが接続されており、脹脛部と足首部の２部位のエアバッグ１に吸排気を行うために、チューブは２方向に分岐され、それぞれが２個の電磁弁Ｖ１，Ｖ２の入口側に接続される。そして、電磁弁Ｖ１の出口側はさらに、２分岐され左右それぞれのエアバッグ１に、電磁弁Ｖ２の出口側もさらに、２分岐され、左右それぞれのエアバッグ１へそれぞれ異なるチューブで接続される。
【００４２】
また、図１７に示すように制御部である回路基板８１は、充電池７１から電源電力が供給され、エアーポンプ５１、および、２個の電磁弁Ｖ１，Ｖ２に電力を供給し、かつ、それらへのＯＮ，ＯＦＦ信号を与えている。前記のＯＮ，ＯＦＦ信号は、回路基板に搭載されたマイクロコンピュータのＲＯＭなどのメモリに格納された複数のマッサージプログラムによって、スイッチ部９１〜９３で選択したマッサージプログラムが実行され、マッサージを動作が行なわれる。たとえば、スイッチ９１は電源のＯＮ／ＯＦＦを、スイッチ９２はマッサージの強さ切換えを、スイッチ９３はマッサージのパターンの切換えを行う。具体的には、操作装置２に実際に部品を配置した場合の配置図を図１８（ａ）〜図１８（ｃ）に示す。
【００４３】
ここで、それぞれの部品について詳述する。本実施の形態で使用したエアーポンプ５１は、ＤＣ５Ｖで最大消費電力２Ｗ（最大電流０．４Ａ）以下のものを使用した。電磁弁Ｖ１，Ｖ２は、ＤＣ５Ｖで消費電力は約０．６Ｗ（電流０．１２Ａ）のものを２個使用した。低電圧のＤＣ５Ｖかつ低消費電力の部品を使用することによって、回路部での消費電力も含めて、全体の消費電力３．５Ｗ以下とすることによって、電源供給を行う充電池として容量１８００ｍＡｈ、質量約６３ｇのモバイル電池を使用することが可能となった。
【００４４】
たとえば（パナソニック製のレッグリフレＥＷ−ＮＡ３３）のように、ヒーター部を除いても１２Ｗ程度の消費電力が必要なものでは上記のように小型の充電池できないが、本発明のように消費電力を低減することよって、小型の充電池を使用することができ操作装置全体の質量が３５０ｇ程度となり、脚部にとりつけても質量、大きさ共に問題が無いものが構成可能となった。
【００４５】
具体的に本発明で使用したモバイル電池は、ＤＣ３．７Ｖ、容量１８００ｍＡｈの充電式リチウムイオン電池で、充電時の仕様は電圧５Ｖ、電流６００ｍＡで、出力時電圧は５Ｖ、電流１Ａのものを使用した。充電時のインターフェースはＵＳＢmicroＢメスコネクター、出力時のインターフェースはＵＳＢ  Ａメスである。
【００４６】
本充電池を使用してたとえば、１日に１回１０分間のマッサージに使用する場合、約１２０分程度使用できるため、一度充電すれば１２回程度使用することができる。本発明のマッサージ器は、上記の構成のため手軽に持ち運びできるため、スポーツや登山等で疲れた脚をマッサージするために家で使用するだけでなく、外出先の電車や飛行機等のコンセントが近くにないような場所でも本エアマッサージ器を使用することができ、手軽にマッサージをすることができる。
【００４７】
また、たとえば、上記のマッサージ器の回路部に表示部を接続して電池の残量表示機能を設けることによって、使用者に充電池の残量の不安を感じさせずに使用してもらうことができ、充電量が少なくなれば使用者に充電を促すことができる。
【００４８】
また、上記では消費電力３．５Ｗ以下の場合について述べたが、８Ｗ以下であれば容量２５００ｍＡｈ程度の電池を使用することができ、操作装置内部に充電池を配置して装着できる大きさで構成することが可能となる。
【００４９】
また、上記では左右の両脚分を一つの操作装置で制御する場合について述べたが、
左右別々に操作装置を設けた方が、ポンプの容量を少なくできて消費電力を抑えることができるため充電池の容量を小さくすることができ大きさ、質量とも携帯性が高めることができる。
【００５０】
＜第９実施形態＞
図１９は、本発明の第９実施形態に係るエアマッサージ器における操作装置の構成を示す図である。図２０は、本発明の第９実施形態に係るエアマッサージ器における操作装置の配置を示す図である。なお、前述の実施形態と対応する部分には、同一の参照符を付す。
【００５１】
図１９は本実施形態の操作装置内部の概略図であるが、図１６で示した第８実施形態の操作装置と異なる部分は、操作装置２の内部にはエアーポンプ５１と電磁弁Ｖ１，Ｖ２と回路基板８１と配管部材とを含み、充電池を含まないことである。これによって操作装置を小形化することができる。具体的な配置例を示したものが図２０である。
【００５２】
本実施形態のように、充電池を操作装置部の外に出すことによって、充電池を実施の形態１のように“ある充電池”に指定するのではなく、出力時のインターフェースにＵＳＢ  Ａメスを使用している一般的に販売されている充電池を使用することができる。図１５のような脚帯に図示しないポケット等の充電池を入れる場所と、その場所に充電池に接続するための接続線を設けておくことによって、充電池をポケットに収納して使用するとともに、マッサージ器に使用しない場合には、充電池を携帯電話の充電に使用することができる。
【００５３】
また、充電池の形状も様々なものを使用することができるため、使用者が有する充電池とマッサージ器があれば、１つの充電池で本エアマッサージ器の使用もでき、携帯電話の充電等もすることが可能となる。
【００５４】
また、たとえば脚部をマッサージするマッサージ器について、その形状がブーツ形状で踏板部分を有するエアマッサージ器の場合、充電池を踏板部分に配置することによって、操作装置部の大きさを感じることなく、かつ、充電池を靴底というユーザーから部分に配置することができる。
【００５５】
また、たとえば、充電池としてＱｉ充電対応の充電池を使用することによって、平面の充電パッド上に本マッサージ器を置いておくことによって、充電時にケーブルを接続することなく充電することができるマッサージ器を提供することができる。
【００５６】
＜第１０実施形態＞
図２１は、本発明の第１０実施形態に係るエアマッサージ器における操作装置の配置を示す図である。なお、前述の実施形態と対応する部分には、同一の参照符を付す。
【００５７】
本実施形態は、腰をマッサージするエアマッサージ器であり、図２１に示すように、エアマッサージ器１０１は、左右それぞれの脚に取り付けられて、脚に対して加圧する機能を有する腰帯１３１、腰帯１３１の表面側（外側）に取り付けられ、エアーの供給、排出等を制御する操作装置２１とから構成される。
【００５８】
腰帯１３１は２枚の布から成り、内部が袋状になるように縫製されており、それぞれの内部の空間にエアバッグ１２１，１２２が挿入されている。エアバッグ１２１は腰帯１３１が装着されたときに腰上部配置されており、エアバッグ１２２は腰帯１３１が装着されたときに腰下部に配置されている。腰帯１３１には図示しないマジックテープ等が取り付けられており、巻きつけて止めることによって腰部に位置決め、固定される。
【００５９】
操作装置２１は、実施の形態１と同様な構成でエアーポンプ、電磁弁、回路基板、充電池等からなり、外部にあるスイッチ部を操作することによって腰をエアーマッサージすることができる。
【符号の説明】
【００６０】
１  １ａ，１ｂ，１ｃ  エアバッグ
２  操作装置
３  外装
４  ホース
５  ケース
６  仕切り部
９  踏板部材
７ａ  第１空気室
７ｂ  第２空気室
【図１】
2015029574.tif 000003
【図２】
2015029574.tif 000004
【図３】
2015029574.tif 000005
【図４】
2015029574.tif 000006
【図５】
2015029574.tif 000007
【図６】
2015029574.tif 000008
【図７】
2015029574.tif 000009
【図８】
2015029574.tif 000010
【図９】
2015029574.tif 000011
【図１０】
2015029574.tif 000012
【図１１】
2015029574.tif 000013
【図１２】
2015029574.tif 000014
【図１３】
2015029574.tif 000015
【図１４】
2015029574.tif 000016
【図１５】
2015029574.tif 000017
【図１６】
2015029574.tif 000018
【図１７】
2015029574.tif 000019
【図１８】
2015029574.tif 000020
【図１９】
2015029574.tif 000021
【図２０】
2015029574.tif 000022
【図２１】
2015029574.tif 000023